(57)【特許請求の範囲】
【請求項１】
クラウンと、クラウンの前方部に設けられた三日月形状の庇とを備えた帽子であって、
庇の上面を覆うための半円形状の樹脂製の上側フィルムと、庇の下面を覆うための半円形状の樹脂製の下側フィルムとで構成された汚れ防止フィルムによって庇の基端縁における両端部を除く部分が覆われてなり、
上側フィルムの先端縁と下側フィルムの先端縁とが繋げられて汚れ防止フィルムが袋状に形成されるとともに、その繋げた部分に非密着部を繰り返し設けて上側フィルムと下側フィルムの境界部を脆弱に形成し、
庇における汚れ防止フィルムによって覆われていない基端縁の両端部から汚れ防止フィルムと庇との間に指を挿入することにより、汚れ防止フィルムを庇から引き剥がすことができるようにしたことを特徴とする帽子。
【請求項２】
上側フィルムの基端縁及び／又は下側フィルムの基端縁が、帽子のクラウンとともに庇の基端縁に縫着されてなる請求項１記載の帽子。
【請求項３】
上側フィルム及び下側フィルムが一軸延伸フィルムによって形成され、該一軸延伸フィルムの延伸方向が庇の前後方向に向けられた請求項２記載の帽子。
【発明の詳細な説明】
【技術分野】
【０００１】
本発明は、試着による汚れの付着を防止した帽子に関する。
【背景技術】
【０００２】
デパートなどの帽子売り場に行くと、帽子を試着している人を頻繁に目撃することができる。商品として陳列されている帽子のなかには、試着した人の手垢や汗などが付着して汚れているものも見受けられる。汚れた帽子は、売り物にならないばかりか、それを陳列したままにしておくと、店のモラルや格式を疑われる原因ともなりうるために、帽子の販売店や製造会社は、帽子の汚れ防止対策に頭を悩ませている。
【０００３】
例えば、ビニールテープなどの汚れ防止テープを帽子のビン皮に貼り付けることが行われている（例えば、特許文献１を参照）。これにより、帽子を試着する人の額を流れる汗がビン皮に付着するのを防止することができる。しかし、この汚れ防止対策では、試着した人の手垢や汗が最も付着しやすい部分の一つである庇の汚れを防止することができない。庇に付着した汚れは、ビン皮に付着した汚れ以上に目立ちやすく、来店者の購買意欲を大きく減退させる原因ともなりうる。
【０００４】
また、帽子をナイロン袋などで完全に包装した状態で販売することも行われている。これにより、帽子全体の汚れを防止することができる。しかし、この汚れ防止対策は、来店者に敬遠されることも多い。来店者のなかには、被り心地を確認してから帽子を購入したいという人も数多くいるが、帽子が完全に包装されていては、それを被ったときの涼しさや暖かさなど、微妙な被り心地の確認が困難になるためである。
【０００５】
【特許文献１】実登第３０５７０６７号公報（実用新案登録請求の範囲、図１）
【発明の開示】
【発明が解決しようとする課題】
【０００６】
本発明は、上記課題を解決するために為されたものであり、試着した人の手垢や汗などが付着することによって生じうる庇の汚れを防止した帽子を提供するものである。
【課題を解決するための手段】
【０００７】
上記課題は、庇が汚れ防止フィルムで覆われた帽子を提供することによって解決される。ここで、「庇」とは、ベースボールキャップなどにおける目庇のように、着用者の額から前方に突出する形態のものだけでなく、トップハット（いわゆるシルクハット）などにおけるブリム（鍔）のように、着用者の頭部全周から放射状に突出する形態のものをも含む概念であるとする。汚れ防止フィルムとしては、樹脂フィルムなどを好適に用いることができる。
【０００８】
汚れ防止フィルムは、庇の上面又は下面のうち少なくとも１面の一部を覆うことのできる形態のものであれば特に限定されないが、庇の上面を覆う上側フィルムと、庇の下面を覆う下側フィルムとからなるものであると好ましい。帽子を被ろうとする人は、庇を人差指と親指とで挟み持つことが多く、庇の上面と下面とのいずれにも汚れが付着するおそれがあるためである。
【０００９】
上側フィルムと下側フィルムは、分離した形態のものであってもよいが、上側フィルムの先端縁と下側フィルムの先端縁とが繋げられて、汚れ防止フィルムが袋状に形成されていると好ましい。汚れ防止フィルムは、通常、庇に被せた際に張った状態となる寸法形状に形成される。これにより、汚れ防止フィルムを庇から脱落しにくくすることができる。また、庇に被せられた汚れ防止フィルムが捲くれて被覆すべき箇所が露わになるのを防止することもできる。
【００１０】
このとき、上側フィルムの基端縁及び／又は下側フィルムの基端縁が、帽子のクラウンとともに庇の基端縁に縫着されていると好ましい。これにより、縫製の工程を増やすことなく、汚れ防止フィルムを庇に縫着して、汚れ防止フィルムをさらに脱落しにくくすることができる。ここで、「クラウン」とは、帽子における着用者の頭部を覆う部分のことを言う。クラウンは、着用者の頭部全体を覆うものであってもよいし、ベルト状のクラウンを有するサンバイザーのように、着用者の頭部の一部を覆うものであってもよい。
【００１１】
汚れ防止フィルムは、庇の上下両面の全体を覆うものであってもよいが、汚れの付着しにくい庇の基端縁に、汚れ防止フィルムで覆われていない空白部が設けられていると好ましい。これにより、前記空白部から汚れ防止フィルムと庇との間に指などを挿入することが可能になり、汚れ防止フィルムを庇から容易に引き剥がすことができるようになる。
【発明の効果】
【００１２】
以上のように、本発明によって、試着をした人の手垢や汗などが庇に付着して汚れるのを防止することのできる帽子を提供することが可能になる。
【発明を実施するための最良の形態】
【００１３】
本発明の帽子の好適な実施態様を、図面を用いてより具体的に説明する。
【００１４】
図１は、本発明の帽子を示した正面図である。図２は、本発明の帽子を示した右側面図である。図３は、本発明の帽子を示した底面図である。図４は、本発明の帽子に用いる汚れ防止フィルムを示した分解斜視図である。図５は、本発明の帽子のクラウンと庇との境界部周辺を図１におけるＸ−Ｘ面で切断した状態を示した断面図である。
【００１５】
本実施態様の帽子１００は、図１〜図３に示すように、着用者の頭部を覆うためのクラウン１１０と、日や雨が着用者の目に入るのを防ぐための庇１２０とを備えたものとなっている。庇１２０は、クラウン１１０の前方部にのみ設けられた略三日月形のものとなっている。庇１２０は、帽子１００を試着する人の手垢や汗が付着しないように、汚れ防止フィルム１３０で覆われている。庇１２０の基端縁の両端部には、汚れ防止フィルム１３０で覆われていない空白部（図１〜図３において斜線で示された部分）が設けられている。このため、汚れ防止フィルム１３０を庇１２０から取り外す際には、前記空白部から汚れ防止フィルム１３０に指を掛けることができるようになっている。
【００１６】
本実施態様の帽子１００において、汚れ防止フィルム１３０は、図４に示すように、庇１２０の上面を覆うための上側フィルム１３１と、庇１２０の下面を覆うための下側フィルム１３２とからなっている。上側フィルム１３１と下側フィルム１３２は、汚れの付着しやすい庇１２０の先端部全体を覆うことができるように、いずれも略半円形に形成されている。汚れ防止フィルム１３０は、上側フィルム１３１の先端縁Ａと下側フィルム１３２の先端縁Ｂとが互いに繋げられて袋状に形成されたものとなっている。
【００１７】
このとき、上側フィルム１３１の先端縁Ａと下側フィルム１３２の先端縁Ｂは、密着部と非密着部とが繰り返されるように断続的に繋げられていると好ましい。これにより、上側フィルム１３１と下側フィルム１３２との境界部を脆弱に形成することが可能になり、庇１２０に取り付けられている汚れ防止フィルム１３０を容易に取り外すことができるようになる。本実施態様の帽子１００において、汚れ防止フィルム１３０は、上側フィルム１３１の先端縁Ａと下側フィルム１３２の先端縁Ｂとを約３ｍｍのピッチで縫着したものとなっている。この場合、上側フィルム１３１と下側フィルム１３２は、通常、先端縁Ａ，Ｂを縫着した後に裏返される。これにより、上側フィルム１３１と下側フィルム１３２との境界部に形成される縫い目を汚れ防止フィルム１３０の内側に隠すことができる。
【００１８】
本実施態様の帽子１００において、汚れ防止フィルム１３０の基端縁の中央部は、図５に示すように、クラウン１１０とともに庇１２０の基端縁に縫着されている（縫着部Ｃ，Ｄ）。このため、汚れ防止フィルム１３０は、故意に引っ張らない限りは、庇１２０から容易に脱落しないようになっている。縫着部Ｃでは、補強材１６０と、クラウン裏地１１２と、クラウン表地１１１と、上側フィルム１３１と、庇表地１２１と、庇裏地１２２と、下側フィルム１３２と、ビン皮裏地１４２と、ビン皮表地１４１とが縫着されている。一方、縫着部Ｄでは、補強材１６０と、クラウン裏地１１２と、クラウン表地１１１と、上側フィルム１３１と、庇表地１２１と、庇裏地１２２と、下側フィルム１３２と、保形材（前たて）１５０とが縫着されている。
【００１９】
汚れ防止フィルム１３０は、その素材を特に限定されるものではなく、紙や布などであってもよいが、本実施態様の帽子１００においては、樹脂フィルムを採用している。これにより、汚れ防止フィルム１３０を、軽量ながらも丈夫で耐食性に優れたものとするだけでなく、防水性にも優れたものとすることができる。
【００２０】
また、汚れ防止フィルム１３０は、不透明なものであってもよいが、透明なものであると好ましい。これにより、帽子１００本来のデザインを隠すことなく、帽子１００を陳列することが可能になる。
【００２１】
さらに、本実施態様の帽子１００のように、汚れ防止フィルム１３０の基端縁をクラウン１１０とともに庇１２０の基端縁に縫着するような場合には、汚れ防止フィルム１３０に一軸延伸フィルムを用いると好ましい。これにより、汚れ防止フィルム１３０を庇１２０から引き剥がした際に、破れた汚れ防止フィルム１３０がクラウン１１０と庇１２０との隙間で残るのを防止することができる。汚れ防止フィルム１３０として一軸延伸フィルムを用いる場合には、一軸延伸フィルムの延伸方向（裂けやすい方向）が、庇１２０の前後方向（庇１２０の先端部と基端部とを結ぶ方向）と平行になるように、汚れ防止フィルム１３０を配するとよい。
【００２２】
本発明の帽子は、庇を有するものであれば特に限定されないが、ベースボールキャップなど、庇がクラウンの前方に突出する形態のもの（キャップ）であると好適である。
【図面の簡単な説明】
【００２３】
【図１】本発明の帽子を示した正面図である。
【図２】本発明の帽子を示した右側面図である。
【図３】本発明の帽子を示した底面図である。
【図４】図４は、本発明の帽子に用いる汚れ防止フィルムを示した分解斜視図である。
【図５】本発明の帽子のクラウンと庇との境界部周辺を図１におけるＸ−Ｘ面で切断した状態を示した断面図である。
【符号の説明】
【００２４】
１００  帽子
１１０  クラウン
１１１  クラウン表地
１１２  クラウン裏地
１２０  庇
１２１  庇表地
１２２  庇裏地
１２３  庇芯地
１３０  汚れ防止フィルム
１３１  上側フィルム
１３２  下側フィルム
１４０  ビン皮
１４１  ビン皮表地
１４２  ビン皮裏地
１５０  保形材（前たて）
１６０  補強材
【図１】
0004754293.tif 000002
【図２】
0004754293.tif 000003
【図３】
0004754293.tif 000004
【図４】
0004754293.tif 000005
【図５】
0004754293.tif 000006